【手続補正書】
【提出日】平成18年1月11日(2006.1.11)
【手続補正１】
【補正対象書類名】明細書
【補正対象項目名】特許請求の範囲
【補正方法】変更
【補正の内容】
【特許請求の範囲】 
【請求項１】 先端部に掘削羽根を備えたロッドを地盤に回転圧入するときの、回転負荷およびロッドの先端深度を連続的に測定するようにしてなることを特徴とする地盤調査方法。 
【請求項２】 前記ロッドの外周に大径部を形成したことを特徴とする請求項１に記載の地盤調査方法。 
【請求項３】 回転負荷を、ロッドを回転させる回転手段側に設けた負荷測定手段、あるいはロッド先端側に内設した負荷測定手段により測定するようにしてなることを特徴とする請求項１または２記載の地盤調査方法。 
【請求項４】 ロッド頭部で圧入時の回転負荷を測定し、かつ逆回転して引き抜くときの回転負荷を測定することにより、ロッド軸部に作用する回転負荷を分離し、ロッド先端部に作用する回転負荷のみを算出することを特徴とする請求項１〜３のいずれか記載の地盤調査方法。 
【請求項５】 前記ロッド先端部に作用する回転負荷のみを算出する場合において、下記数式を用いることを特徴とする請求項４記載の地盤調査方法。
Ｔｔ＝Ｔｂ＋Ｔｆ・・・・・・（１）
Ｔｔ： 回転圧入時のロッド頭部の回転負荷
Ｔｂ： ロッド先端部の回転負荷
Ｔｆ： ロッド軸部の摩擦による回転負荷
Ｔｔ'＝ Ｔｂ'＋Ｔｆ'＝ αＴｂ＋βＴｆ・・・・・・（２）
Ｔｔ'： 逆回転して引き抜くときの回転負荷
Ｔｂ'： 逆回転して引き抜くときに作用するロッド杭先端の回転負荷Ｔｆ'： 逆回転して引き抜くときに作用するロッド軸部の摩擦による回転負荷
α＝ Ｔｂ'／Ｔｂ
β＝ Ｔｆ'／Ｔｆ （このαとβは、実験を積み重ねて求める。）
（１）、（２）より、Ｔｂ＝（Ｔｔ'―βＴｔ）／（α―β） 
【請求項６】  人工的に作った性状の分かっている模型地盤などを含む性状のわかっている多様な実験地盤に、羽根付きのロッドを回転圧入して各種の実験を行い、該実験によって得られた各種のデータに基づき、請求項５記載のロッド先端部の回転負荷値（Ｔｂ）から、地盤強度および杭の支持力を推定することを特徴とする請求項１〜５のいずれかに記載の地盤調査方法。 
【請求項７】 ロッドを開端中空とし、前記ロッドを地盤に回転圧入して土採取位置でロッドの回転圧入を停止し、前記ロッドに土採取冶具を挿入し、該土採取冶具により該ロッド中空部に進入した先端土あるいは、ロッド先端より下部の土を採取することを特徴とする請求項１〜６のいずれかに記載の地盤調査方法。 
【請求項８】 ロッド回転負荷の自動測定と同時に、該ロッドに作用させている鉛直力も自動測定することを特徴とする請求項１〜７のいずれかに記載の地盤調査方法。 
【請求項９】 請求項８に記載の地盤調査方法において測定した、ロッドの回転負荷と鉛直力を利用し、回転負荷はトルクへ換算した後、下記（１）式によって調査対象地盤のＮ値を推定することを特徴とする地盤調査方法。
Ｎ＝（Ｔ＋ｂ・Ｌ・Ｄｐ）／（ａ・Ｄｐm）・・・・・・（３）
ここで、Ｎ：地盤のＮ値、Ｄｐ：杭径、Ｔ：トルク（回転負荷より換算）、Ｌ：鉛直力、ａ、ｂ、ｍ：係数および指数 
【請求項１０】 先端部に掘削羽根を備えたロッドと、このロッドの適宜な部位に内設された、あるいはロッドを回転させる回転手段側などに設けられた、回転負荷を測定するための負荷測定手段とからなり、前記ロッドを地盤に回転圧入する際の回転負荷を、連続的に前記負荷測定手段で測定するようにしてなることを特徴とする地盤調査装置。 
【請求項１１】 前記ロッドの外周に大径部を形成したことを特徴とする請求項１０に記載の地盤調査装置。 
【請求項１２】 ロッド先端部分に作用する回転負荷を測定する負荷測定手段を、ロッド先端付近に内設してなることを特徴とする請求項１０または１１に記載の地盤調査装置。 
【請求項１３】 前記ロッドを開端中空とし、かつ土採取冶具を備え、回転圧入した地盤の土採取位置で、該ロッド中空部に進入した先端土あるいはロッド先端より下部の土を、前記土採取冶具を中空部上端から挿入して採取することを特徴とする請求項１０〜１２のいずれかに記載の地盤調査装置。 
【請求項１４】 ロッド先端の掘削羽根部分を交換可能な構成としたことを特徴とする請求項１０〜１３のいずれかに記載の地盤調査装置。 
【請求項１５】 ロッド先端に装着される掘削羽根部分を交換可能な構成にするとともに、該掘削羽根が取りつく短いロッド先端部分を上部ロッドよりも大きな径にしたことを特徴とする請求項１０〜１３のいずれかに記載の地盤調査装置。 
【請求項１６】  ロッド先端の掘削羽根部分を交換可能な構成にするとともに、該掘削羽根が取りつく短いロッド先端部分を上部ロッドよりも大きな径とし、該掘削羽根が取りつく短いロッドが連結されるロッド先端部分を短いロッドの径と同じ径としたことを特徴とする請求項１０〜１３のいずれかに記載の地盤調査装置。
【請求項１７】ロッド同士を連結するための着脱可能な連結部をそれぞれのロッドの端部に設けてなることを特徴とする請求項１０〜１６のいずれかに記載の地盤調査装置。 
【請求項１８】 ロッド回転負荷の測定と同時に、前記ロッド先端の深度を測定する深度測定手段と、前記ロッドに作用させている鉛直力を測定する鉛直力測定手段を設けてなることを特徴とする請求項１０〜１７のいずれかに記載の地盤調査装置。 
【請求項１９】 ロッドの外周に鋼製リングを溶接することにより大径部を形成することを特徴とする請求項１１〜１８のいずれかに記載の地盤調査装置。 
【請求項２０】 ロッドの連結部を他の部分より大径にすることにより大径部を形成することを特徴とする請求項１１〜１８のいずれかに記載の地盤調査装置。 
【請求項２１】 ロッド軸部を鞘管で覆って、杭貫入時に受ける周面摩擦抵抗を鞘管で受けて分離し、回転手段側でロッドの頭部に作用させた回転の負荷を計測することで、ロッド先端の回転負荷を計測できることを特徴とする請求項１０〜２０のいずれかに記載の地盤調査装置。
【手続補正２】
【補正対象書類名】明細書
【補正対象項目名】００１４
【補正方法】変更
【補正の内容】
【００１４】
＜請求項６に記載の地盤調査方法の発明＞ 
人工的に作った性状の分かっている模型地盤などを含む性状のわかっている多様な実験地盤に、羽根付きのロッドを回転圧入して各種の実験を行い、該実験によって得られた各種のデータに基づき、請求項５記載のロッド先端部の回転負荷値（Ｔｂ）から、地盤強度および杭の支持力を推定することを特徴とする。
先端羽根部の回転負荷Ｔｂを求めることができれば、その値から地盤のＮ値を推定し、支持力を計算することができる。
あるいは、Ｔｂの値を地盤の強度とし、Ｔｂから支持力を推定することもできる。
【手続補正３】
【補正対象書類名】明細書
【補正対象項目名】００１８
【補正方法】変更
【補正の内容】
【００１８】
＜請求項９に記載の地盤調査方法の発明＞
請求項８に記載の地盤調査方法において測定した、ロッドの回転負荷と鉛直力を利用し、回転負荷はトルクへ換算した後、下記（１）式によって調査対象地盤のＮ値を推定することを特徴とする地盤調査方法。
Ｎ＝（Ｔ＋ｂ・Ｌ・Ｄｐ）／（ａ・Ｄｐm）・・・・・・（３）
ここで、Ｎ：地盤のＮ値、Ｄｐ：杭径、Ｔ：トルク（回転負荷より換算）、Ｌ：鉛直力、ａ、ｂ、ｍ：係数および指数 
【手続補正４】
【補正対象書類名】明細書
【補正対象項目名】００２４
【補正方法】変更
【補正の内容】
【００２４】
＜請求項１５に記載の地盤調査装置の発明＞
請求項１０〜１３のいずれかに記載の発明において、ロッド先端に装着される掘削羽根部分を交換可能な構成にするとともに、該掘削羽根が取りつく短いロッド先端部分を上部ロッドよりも大きな径にしたことを特徴とする。
【手続補正５】
【補正対象書類名】明細書
【補正対象項目名】００２５
【補正方法】変更
【補正の内容】
【００２５】
＜請求項１６に記載の地盤調査装置の発明＞
請求項１０〜１３のいずれかに記載の発明において、ロッド先端の掘削羽根部分を交換可能な構成にするとともに、該掘削羽根が取りつく短いロッド先端部分を上部ロッドよりも大きな径とし、該掘削羽根が取りつく短いロッドが連結されるロッド先端部分を短いロッドの径と同じ径としたことを特徴とする。
【手続補正６】
【補正対象書類名】明細書
【補正対象項目名】００３０
【補正方法】変更
【補正の内容】
【００３０】
＜請求項２１に記載の地盤調査装置の発明＞
請求項１０〜２０のいずれかに記載の発明において、ロッド軸部を鞘管で覆って、杭貫入時に受ける周面摩擦抵抗を鞘管で受けて分離し、回転手段側でロッドの頭部に作用させた回転の負荷を計測することで、ロッド先端の回転負荷を計測できることを特徴とする。